Podtech/llm-jp-corpus-v4-ja_patent huggingface dataset:
(57)【要約】【課題】  熟練者でなければ困難であった、メレンゲとその他の素材との攪拌が簡単にできる調理用攪拌器を提供する。【解決手段】  パレットナイフ状の薄い金属板を適当な間隔で複数枚配置し、取っ手を付ける。これにより薄い金属板がメレンゲを切りながら、しかもメレンゲを少しずつ移動させることができ、メレンゲの泡を消すことなくその他の素材と効率よく攪拌することができる。【選択図】  図１
2006175189.tif 000002
【特許請求の範囲】
【請求項１】
パレットナイフ状の薄い金属板を適当な間隔で数枚配置した調理用攪拌器
【発明の詳細な説明】
【技術分野】
【０００１】  本発明は、薄い金属板を適当な間隔で数枚配置した、メレンゲとその他の素材を効率よく混ぜるための調理用攪拌器に関するものである。
【背景技術】
【０００２】  従来、別立てケーキを作る場合、メレンゲとその他の素材の攪拌にはゴムベラを利用するのが一般的であった（例えば、非特許文献１参照。）。また、あまり一般的ではないがエキュモワールという名称の器具があった（非特許文献２参照。）。
【非特許文献１】小嶋ルミ著「とっておきのチョコレートのお菓子」成美堂出版、２００３年１２月２０日、Ｐ６３
【非特許文献２】弓田亨著「少量でおいしいフランス菓子のためのルセットゥ」株式会社イル・プルー・シュル・ラ・セーヌ企画、１９９９年７月１５日、Ｐ４７
【発明の開示】
【発明が解決しようとする課題】
【０００３】  従来のゴムベラでは、メレンゲのかたまりを移動させることはできても散らすことができず、熟練者でなければメレンゲの泡を消すことなく混合するのが困難であった。また、エキュモワールでは、反対にメレンゲを移動させることができないため、攪拌に時間がかかり、結局メレンゲの泡を消さずに混合することが困難であった。
【課題を解決するための手段】
【０００４】  パレットナイフ状の薄い金属板を適当な間隔で数枚配置した調理用攪拌器。
【発明の効果】
【０００５】  薄い金属板を利用することでメレンゲを切り散らすことができる。しかも金属板を適当な間隔に複数枚配置することでメレンゲを少しずつ移動させることができる。これによりメレンゲの泡を消すことなくメレンゲとその他の素材を効率よく攪拌することができる。
【発明を実施するための最良の形態】
【０００６】  以下、本案の実施の形態について説明する。
（イ）パレットナイフ状の薄い金属板を適当な間隔に配置する。
（ロ）取っ手をつける。
【図面の簡単な説明】
【０００７】
【図１】平面図
【図２】側面図
【符号の説明】
【０００８】１  金属板
２  取っ手
【図１】
2006175189.tif 000003
【図２】
2006175189.tif 000004
(57)【要約】【課題】    左右のベルトとの１．連結体の構成を２．回転体支持部に３．回転体を取り付けるようにして左右に振れるだけでなく横に回転させることによって肩掛けベルトが肩にフィットし背負っている時にランドセルが体から離れる事がなく重さを感じない肩掛けベルト取り付け金具を提供できる。【解決手段】    左右のベルトとの１．連結体の構成を２．回転体支持部に３．回転体を取り付けるような構成にして左右に振れるだけでなく横に回転させる肩掛けベルト取り付け金具。【選択図】  図１
2006175186.tif 000002
【特許請求の範囲】
【請求項１】
ベルトを取り付ける１．連結体の構成を２．回転支持部に３．回転体を設けるようにする事によって左右に振れるだけでなく横に回転するようにする。  それによって肩掛けベルトが体の大きさに影響されず肩にフィットし、ランドセルが使用中に背中から離れる事なくそのために重さを感じることがない肩掛けベルト取り付け金具を提供する。
【発明の詳細な説明】
【技術分野】
【００１】      本発明はランドセルを背負ったときに肩掛けベルトが体の大きさに影響されずに肩にフィットしランドセルが体から離れることなく心地よく背負うことができ重さを感じさせない肩掛けベルト取り付け金具である。
【技術背景】
【００２】      従来のこれらの肩掛けベルト取り付け金具は背負った児童の肩の大きさに応じてベルトとの１．連結体が左右に動き肩幅の小さい児童から大きい児童まで背負えるような構造になっているものがあった。
【発明の開示】
【発明が解決しようとする課題】
【００３】      しかしながらベルトとの１．連結体が左右に開くだけでは児童の体には十分にフィットすることなくランドセルを背負うと肩掛けベルトと肩の間に隙間ができ背中とランドセルが離れる事によってバランスを崩し重く感じることがあった。
【課題を解決するための手段】
【００４】      そのような欠点を取り除くためにこの発明はベルトとの１．連結体の構成を２．回転支持部に３．回転体を設けるようにする事によって左右に連結体が動くだけでなく横にも回転するような構造にする。
【発明の効果】
【００５】      ベルトとの１．連結体が左右に振れるだけでなく横に回転する事により肩掛けベルトが自由に動くので体の大きい者から小さい物まで肩掛けベルトが肩にフィットしランドセルが背中から離れることなく心地よく背負うことができ重さを感じさせない。
【発明を実施するための最良の形態】
【００６】      以下、本発明の実施の形態について説明する。
肩掛けベルト金具のベルトとの１．連結体に回転部分を設ける。  具体的にはベルトとの１．連結体の構成をＬ型に曲げた２．回転体支持部と３．回転体を曲げた部分で重ね合わせて４．リベットで留める形にする。  そうすることによって回転体が横方向に回転するようになる。  これは連結体を横に回転させることが大事であってその方法はどのようなやり方でもかまわない。
【図面の簡単な説明】
【図１】    全体図
【図２】    連結体の構成図
【図３】    連結体の横図
【図４】    連結体の立体図
【図５】    連結体を回転させたとき
【符号の説明】
１．  ベルトとの連結体
２．  回転体支持部
３．  回転体
４．  リベット
【図１】
2006175186.tif 000003
【図２】
2006175186.tif 000004
【図３】
2006175186.tif 000005
【図４】
2006175186.tif 000006
【図５】
2006175186.tif 000007
(57)【要約】【課題】  丁番状の羽根に突起物を取り付け、先端を折り曲げた高齢者向けふとん干し具を提供する。【解決手段】  丁番状の羽根を複数設け、その羽根の外壁上部に突起物のストッパーを設けたことを特徴とする高齢者向けふとん干し具。【選択図】図１
2006175190.tif 000002
【特許請求の範囲】
【請求項１】
丁番状の羽根を複数設け、その羽根の外壁上部に突起物のストッパーを設けたことを特徴とする高齢者向けふとん干し具。
【発明の詳細な説明】
【技術分野】
【０００１】  本発明は、丁番状の羽根に突起物と羽根先端を折り曲げたことを特徴とする高齢者向けふとん干し具に関するものである。
【背景技術】
【０００２】  従来、ふとん干しは物干し竿やベランダのフェンスに掛けて干し、時々ふとんの裏返しを余儀なくされていた。
【発明の開示】
【発明が解決しようとする課題】
【０００３】  そのために、次のような問題点があった。
（イ）１本の物干し竿に掛けたふとんは、ふとん裏の空間が狭く充分な通気が得られ          ず、通気乾燥が不充分であったので、時々ふとんの裏返しを余儀なくされて老          人に大変な負担がかかっていた。
（ロ）落下防止のふとんばさみを使用すると、さらに空間が狭く通気乾燥を妨げた。
（ハ）ふとんの重量は一本の物干し竿にかかり、ふとんの裏返しや取り込み時のふと          んの移動はきわめて重く、老人にとって大変な労力の負担がかかり、同様に老          人介護家族や老人ヘルパーにも負担がかかっていた。
（ニ）屋外に放置されたままの物干し竿やベランダのフェンスは、風雨の汚れや鳥の          糞等が付着し、拭き取っても簡単に取れずふとんを汚した。
本発明は、これらの問題点を解決するためになされたものである。
【課題を解決するための手段】
【０００４】  丁番状の羽根を複数設け、その羽根の外壁上部に突起物のストッパーを設けたことを特徴とする高齢者向けふとん干し具。
【発明の効果】
【０００５】  本発明にふとん掛けしたふとんの重量は、広い羽根表面全体にかかるので単位面積当たりの重量が軽くなり、少ない労力でふとんの移動は滑らかになり、力のない老人でもふとんの移動が楽に行える。
羽根から広がるふとん裏は、広い空間を保有し外気の微風でも充分に取り込こむことができ、ふとん裏の湿気から蒸発した水分は連続的に大気に放出されるので、ふとん裏の通気乾燥が促進されて充分に乾燥したふとんを取り込めるもで、煩わしいふとんの裏返しから解放される。
また落下防止のふとんばさみを使用しても、広いふとん裏の空間は外気の微風も充分取り込めるので、ふとん裏の乾燥は連続的に続く。
【発明を実施するための最良の形態】
【０００６】  以下、本発明の実施の形態について説明する。
（イ）  ２枚の板を丁番状に設けた羽根（１）を軸（Ａ）を介して設ける。
（ロ）  羽根（１）の外壁上部に突起物のストッパー（２）を横長状に設ける。
（ハ）  羽根（１）には複数の穴（３）を横長状に設ける。
（二）  羽根（１）の先端を外側に折り曲げた引っかかり防止（４）を横長状に設ける          。
以上を特徴とする高齢者向けふとん干し具である。
本発明は以上のような構成で、これを使用するときは、本発明の片側の羽根（１）を開き、物干し竿（６）にかぶせて図１の矢印の方向に３６０度に回転させながら、接近する両側の羽根（１）のストッパー（２）で物干し竿（６）を抱き込むと、両側のストッパー（２）の先端があたり、羽根（１）の回転が止まり、本発明は物干し竿（６）に装着される。
装着された本発明は、ストッパー（２）と羽根（１）で空間部（５）を形成することになり、空間部（５）の物干し竿（６）から吊されて羽根（１）は開いたままで安定する。
本発明に掛けたふとん（７）の重量は、広い羽根（１）表面全体に掛かるので、重いふとん（７）でも滑らかに移動ができる。
本発明に強風やふとん（７）の移動による傾きが生じても、物干し竿（６）に対する羽根（１）のすべりは、上方に傾いた羽根（１）のストッパー（２）が移動し物干し竿（６）に当たって羽根（１）のすべりが止まるので、本発明は物干し竿（６）からはずれて落下することはない。
羽根（１）から広がるふとん（７）裏の空間は、わずかな風でも取り込むことができるので、ふとん（７）裏の湿気から蒸発した水分は、羽根（１）の穴（３）を通り抜けて、ふとん裏の空間に出て、さらにふとん（１）裏の空間で拡散されながら連続的に大気に放出されるので、ふとん（１）裏表面から蒸発した水分は常に水分飽和状態から低くなり、ふとん（１）裏の連続蒸発量はわずかな風でも促進され、ふとん干しの時間が短縮される。
また落下防止のふとんばさみを使用しても、ふとん（７）裏の空間は広いので外からの微風の取り込みは充分に得られ、ふとん（１）裏の連続蒸発効率を低下させることはない。
さらにふとん（７）裏の空間を利用してふとんたたきもできるので、煩わしいふとんの裏返しから解放されて、充分に乾燥した清潔なふとん（１）を少ない労力で取り込めるので、力のない老人でも楽にふとん干し作業ができるようになる。
また高齢化社会にみられる老人介護家族や老人ヘルパーの負担も軽くなる。
他の用途には、洗濯機にかからないカーペット等の長物の洗濯物を本発明に掛けて、洗剤を振りかけてホースの水とブラシを用いて洗濯をして、水洗後の脱水はそのまま掛けたままで水切りと乾燥が同時に行える。
本発明の収納は、片側の羽根（１）を３６０度反転させながら、空間部（５）の物干し竿（６）から外し羽根（１）を閉じて収納する。
羽根（１）の形状は、格子状や編み目状で通気を有する構造であれば同様の効果がある。
羽根（１）幅は、羽根（１）幅を狭くし軽量化した本発明を、１枚のふとん（１）に複数装着して使用しても同様の効果がある。
また本発明の使用には、物干し竿の代わりにロープを張り、そのロープに本発明を複数装着し、枚数の多いふとん干しにも使用ができ同様の効果がある。
【図面の簡単な説明】
【０００７】
【図１】本発明の斜視図
【図２】本発明の装着時の斜視図
【図３】本発明の実施例を示す斜視図
【図４】本発明の要部断面図
【図５】本発明の動作説明図
【符号の説明】
【０００８】            １  羽根
２  ストッパー
３  穴
４  引っかかり防止
５  空間部
６  物干し竿
７  ふとん
【図１】
2006175190.tif 000003
【図２】
2006175190.tif 000004
【図３】
2006175190.tif 000005
【図４】
2006175190.tif 000006
【図５】
2006175190.tif 000007
(57)【要約】【課題】  杖の転倒と置き忘れを防止するために着脱式の杖の転倒防止補助具を提供するものである。【解決手段】  杖５に着脱自在の取り付輪部１と金属性の挟み具２を連結部材３で連結し、挟み具２を杖５に固定するための磁石４を組み合わせる。【選択図】    図２
2006175188.tif 000002
【特許請求の範囲】
【請求項１】
杖５に固定するための磁石４と、同じく杖５に着脱自在な取り付け輪部１と磁力につく素材で作られ挟み具２を紐や革、又はチェーン等の連結部材３とで構成された本体を組み合わせたと杖の転倒防止補助具。
【発明の詳細な説明】
【技術分野】
【０００１】  本発明は杖が起立した状態を保持して倒れないようにすることができる杖の補助具に関するものである。
より詳細に説明すると本発明品を使用することで杖に取り付けた本発明品を衣類や手持ちの持ち物に簡単に挟むことで杖の転倒や置き忘れを防止でき、さらに挟み具を使用しない時はぶらついて邪魔にならないように保持できるものである
【背景技術】
【０００２】
【特許文献１】実用新案登録第３００８４５７号
【発明の開示】
【発明が解決しようとする課題】
【０００３】  身体が不自由な障害者や高齢者にとって杖は歩行時には片時も手放せない道具である。
しかし、外出先で一時的に杖を手から離す際に壁や机に立て掛けておくことが多いが不安定で転倒しやすく他人に迷惑をかけたり身体の不自由な方にとっては床に倒れた杖を拾い上げることは困難であった。
すでに杖自体に腕を通すためのストラップが付いた商品も市販されているがあるがこれでは杖を体から離さないと不便な時もあったり、腕にストラップを通して腕で支えると重くて身体が不自由な方やお年寄りには負担が重かった。【０００４】
【特許文献１】実用新案登録第３００８４５７号で示すように先行技術では杖に固定具を取り付けて机等に掛けたり、マグネットを利用してスチール壁に自立させるための技術もあるが杖をそのまま置き忘れたり机やスチール壁がない場所では使用できない等の欠点も多かった。
【課題を解決するための手段】
【０００５】    本発明の課題は以上のような不便を解決し、あらゆる使用状況にも対応して杖の転倒と置き忘れを防止できるような補助具を提供するもので杖５対して任意の位置に固定するための磁石４と同じく杖５に固定できる着脱自在の取付け輪部１と磁石がつくような金属等の素材で構成された挟み具２を紐や革、チェーン等の連結具３で構成されたものである。
【発明の効果】
【０００６】  上述のような手段によって図２に示すように杖５の位置に装着された本発明品を使用することで生じる効果は以下の通りである。【０００７】  金属等で構成された挟み具２は杖５の一部に接着剤又は強力な粘着材を用いて固定された磁石４に磁力によって保持されるので普段は不用意にぶらつくことがなく邪魔にならない。【０００８】  適度なサイズを有する連結部材３の形状は環状になっているためにストラップの役割を果たすので必要に応じて腕に通して使用する際は挟み具３を磁石４から簡単に外せば使用できる。【０００９】  お店で買い物をする時、レジ周りや駅で切符を買う際、又はレストラン等で食事をするときなど一時的に杖５を両手から離す際は磁石４から外した挟み具２を衣類や手持ちのバッグにクリップの要領で挟むことで杖５の転倒と置き忘れを防ぐことができる。【００１０】  取り付け輪部１は合成樹脂製なので適度な弾性があるために市販品の杖の径に対応するのでどんな杖にも使用できる。【００１１】  本発明品を杖５に装着したまま使用しない時は挟み具２を磁石４につけておけば固定するのでぶらつくこともなく邪魔にならず杖のアクセサリーとしての効果も生じる。【００１２】  挟み具２のデザインや素材・仕上げ加工を工夫することで老若男女それぞれに対応する商品の企画ができる。
【発明を実施するための最良の形態】
【００１３】  本発明の実施形態を添付図面に沿って説明する。
図１は本発明品の斜視図である。
図２は杖に取り付ける前の状態の図である。
図３は磁石に挟み具がついている状態の側面図である。【００１４】  図１は本発明品である杖の転倒防止用の補助具の形状を示す斜視図の一例で取付け輪部１は合成樹脂にて射出成型されたもので一部が開放された輪状に構成され適度な弾性を有している。
取付け輪部１の内径寸法は市販の杖の平均的な直径に準ずるサイズで容易に着脱でき、しかも適度な保持力を保つ寸法が望ましい。【００１５】  図１に示す挟み具２の素材は磁石がつく必要があるので金属製が望ましく表面の処理はアクセサリー的要素を含むために付加価値の高いゴールドやシルバー等の付加価値の高いメッキ仕上げが望ましい。【００１６】  図１に示す挟み具２のデザインはブローチのようなアクセサリー時な要素を含むために意匠的に付加価値の高いデザインにすることが望ましい。【００１７】  図１に示す取付け輪部１と挟み具２を結ぶ連結部の素材は装飾紐や皮革又は金属にメッキ処理をしたチェーン等が望ましく、長さはストラップの要素もあるので手首が容易に出し入りできる程度が望ましい。【００１８】  図１に示す磁石４は片面に強力な粘着材を接合又は接着材が塗布してあり、磁石本体のサイズは厚み５ｍｍ前後、直径は１０ｍｍ程度で磁力の強力なものが好ましい。
【実施例】  以下、実際に本発明品を使用する場合の実施例を説明する。
はじめに図２で示すように市販されている杖５の上部に本発明品の取り付け輪部１を差込み取り付ける。合成樹脂の素材による弾性で手軽でかつ、しっかり取り付けることが可能である。【００１９】  杖５に取り付輪部を取り付けた後、杖５を垂直に立てた状態で本発明品の挟み具２の位置を確認してその挟み具２と同位置に磁石４を粘着又は接着材で貼り付け固定する。【００２０】  杖５に磁石４を貼り付けた後、図３に示すように金属製の挟み具２は磁石４の磁力によって固定された状態となるので不用意にぶらつくことはない。【００２１】  上記要領にて本発明品を取り付けることによって市販のほとんどの杖に本発明品を装着することができる。【００２２】  すでにストラップが装着された杖の場合はストラップの環を杖から外せば本発明品を装着することは可能である。
【産業上の利用可能性】
【００２３】  本発明品の実用化によって従来の杖の欠点が大幅にカバーされるために杖の利便性が著しく向上し、かつ置き忘れも防止できるので産業上の貢献度が高い発明品といえる。
【図面の簡単な説明】
【図１】本発明品本体の斜視図
【図２】本発明品を杖に取り付ける前の図
【図３】本発明品のクリップが磁石についている側面図
【符号の説明】
【１】取り付輪部
【２】挟み具
【３】連結部
【４】磁石
【５】杖
【図１】
2006175188.tif 000003
【図２】
2006175188.tif 000004
【図３】
2006175188.tif 000005
(57)【要約】【目的】本発明は、ミート率を上げるためのゴルフ練習具。【構成】衝撃を吸収できる低反発素材のシートをゴルフクラブのフェース形状にし、衝撃吸収面３と接着面２を設け、ゴルフボールがクラブヘッドのフェース面のミートスポットに合わせて穴部１の穴を開けた構造のシートであるゴルフ練習具。【選択図】図１
2006175183.tif 000002
【特許請求の範囲】
【請求項１】
シートをゴルフクラブのフェースの形状にし、片面を衝撃吸収面にして片面を接着面にしてミートエリアにミートエリアの大きさの穴部を設けたゴルフ練習具。
【発明の詳細な説明】
【発明の詳細な説明】
【技術分野】
【０００１】この発明は、ゴルフのショットのミート率を上げるための練習具として、衝撃吸収面３と接着面２を設けてミートエリアの穴部１を開けたゴルフ練習具である。
【背景技術】
【０００２】従来、ゴルフプレーヤーにとっては、飛距離や方向性を養うための練習器具が色々とあったが、主にスイング強制やヘッドスピードを上げるものが主体であった。【０００３】その結果、ベストスイング、ヘッドスピードが上がっても、クラブフェースのミートスポットを外してしまったら、飛距離や方向性を得ることができなかった。【０００４】つまり、ミート率を向上させることは非常に重要である。
【発明が解決しようとする課題】
【０００５】本発明は、ミート率を上げるためのゴルフ練習具に関して研究を重ねた。
【問題を解決するための手段】
【０００６】上記目的を達するために、衝撃を吸収できる低反発素材のシートをゴルフクラブのフェース形状にし、衝撃吸収面３と接着面２を設け、ゴルフボールがクラブヘッドのフェース面のミートスポットに合わせて穴部１の穴を開けた構造のシートであるゴルフ練習具。
【発明を実施するための最良の形態】発明の実施の形態を実施例にもとづき図面を参照して説明する。
本案の実施例について説明する。【０００７】衝撃を吸収する素材のシートをゴルフクラブのフェース形状する。【０００８】シートの片面に衝撃吸収面３を儲ける。また、反対の片面に接着面２を設ける。【０００９】シートのミートポイントに当たる場所に穴部１の穴を開ける。【００１０】以上の構造のシートのゴルフ練習具である。
【発明の効果】
本発明は以上説明したような手段と構成されているので、以下に記載されるような効果を奏する。
【００１１】本発明は、ゴルフクラブのフェース面に本発明の接着面２を合わせて接着する。
【００１２】その結果、ショットをした時、衝撃吸収面３にボールが当たった場合と穴部１にボールが当たった場合では、極端にボールの飛距離や音や打感が変わり、プレーヤーがミートポイントにジャストミートしたか、外しているかをショット後やショット時に確認できる。
【図面の簡単な説明】
【図１】本発明の正面図と側面図の図面である。
【図２】本発明の正面図と側面図の図面である。
【図３】本発明の正面図と側面図の図面である。
【図４】本発明の正面図と側面図の図面である。
【図５】本発明の正面図と側面図の図面である。
【図６】本発明の正面図と側面図の図面である。
【図７】本発明の正面図と側面図の図面である。
【符号の説明】
１  穴部      ２  接着面      ３  衝撃吸収面
【図１】
2006175183.tif 000003
【図２】
2006175183.tif 000004
【図３】
2006175183.tif 000005
【図４】
2006175183.tif 000006
【図５】
2006175183.tif 000007
【図６】
2006175183.tif 000008
【図７】
2006175183.tif 000009
(57)【要約】【課題】  従来のメガネケースでは、ケースにメガネを出し入れする作業がめんどうくさい構造のため、就寝時、顔から外したメガネをケースに入れることなく枕元に置いていた。このため、誤って踏みつけた場合、メガネが壊れる危険があった。【解決手段】  メガネ３を収納するためのコの字形の溝を持つ直方体のケース１と、その溝の中央部で溝に対して垂直方向にメガネ３をのせる台形状の台２を配置した構造のメガネ置きとした。これを使用するときは、両手でメガネ３の両端を持ち顔から外したメガネ３を折りたたんだ状態として、鼻あてのくぼみ部分を台形状の台２の上にのせるように置く。これによりメガネ３がコの字形の溝の中に収納されケース１により保護されるため、誤って踏みつけてもメガネ３の破損を防止できる。【選択図】図１
2006175182.tif 000002
【特許請求の範囲】
【請求項１】
メガネ３を収納するための溝を持つケース１と、その溝の中央部で溝に対して垂直方向にメガネ３をのせる台２を配置した構造のメガネ置き。
【発明の詳細な説明】
【技術分野】
【０００１】  この発明は、就寝時、顔から外したメガネに外圧がかからないように保護し、メガネの破損を防止できる構造をもったメガネ置きに関するものである。
【背景技術】
【０００２】  従来のメガネケースでは、ケースにメガネを出し入れする作業がめんどうくさい構造のため、就寝時、顔から外したメガネをケースに入れることなく枕元に置いていた。
【発明の開示】
【発明が解決しようとする課題】
【０００３】  このため、誤って踏みつけた場合、メガネが壊れる危険があった。
本発明は、以上のような危険を避けるためになされたものである。
【課題を解決するための手段】
【０００４】  いまこれを、図面について説明すれば、メガネ３を収納するためのコの字形の溝を持つ直方体のケース１と、その溝の中央部で溝に対して垂直方向にメガネ３をのせる台形状の台２を配置した構造のメガネ置きとした。
【発明の効果】
【０００５】  発明は以上のような構造で、これを使用するときは、両手でメガネ３の両端を持ち顔から外したメガネ３を折りたたんだ状態として、鼻あてのくぼみ部分を台形状の台２の上にのせるように置く。これによりメガネ３がコの字形の溝の中に収納されケース１により保護されるため、誤って踏みつけてもメガネ３の破損を防止できる。また、上部からの落下物に対しても、レンズが水平方向になる平置きに比べてレンズが垂直方向になるのでレンズの破損を防止できる。ケース１に収納されているメガネ３を取り出すときは、両手でメガネ３の両端を持ち溝の上方に引き上げればよい。
【発明の実施するための最良の形態】
【０００６】  以下、本発明の実施の形態について説明する。
（イ）外圧からメガネ３を保護するため強固な材料で、メガネ３を収納するためのコの字形の溝を持つ直方体のケース１を製作する。その溝の中央部で溝に対して垂直方向にメガネ３をのせる台形状の台２をはめ込み接合する。台２は交換可能とし、メガネ３の形状に合わせて高さを調整できるものとする。
（ロ）コの字形の溝の部分には、メガネ３のレンズに傷をつけないように保護する柔らかい布等を貼り付ける。
（ハ）本発明のメガネ置きは就寝時枕元に置くものであるから、ケース１の内部に目覚まし時計、ラジオ、ライトを内臓し防災用品とする。
【図面の簡単な説明】
【０００７】
【図１】  本発明の斜視図である。
【符号の説明】
【０００８】  １はメガネ３を収納するためのコの字形の溝を持つ直方体のケース
２はメガネ３をのせる台形状の台
３はメガネ
【図１】
2006175182.tif 000003
(57)【要約】【課題】本発明は連続物干し式の洗濯バサミを提供する。【解決手段】本発明の洗濯バサミは二つの市販の洗濯バサミを後端部で合体させた形にして、その両端部に挟部を設けたもので洗濯物を連続して吊るして干すことを可能にする洗濯バサミである。【選択図】  図１
2006175106.tif 000002
【特許請求の範囲】
【請求項１】
本発明の洗濯バサミは二つの洗濯バサミを後端部で逆向きに合体させた形にして、その両端部に洗濯物を挟む挟部を設けた洗濯バサミである。
【発明の詳細な説明】
【技術分野】
【０００１】
本発明は、洗濯バサミの一つの取っ手部分（後端部）に同型の洗濯バサミを逆向きにしその一つの取っ手部分（後端部）を接続し合体させた形のもので、洗濯物を挟む部分を両先端の２箇所にした洗濯バサミに関する。
【背景技術】
【０００２】
従来の洗濯バサミは洗濯物を挟む部分は１箇所である。
【発明の開示】
【発明が解決しようとする課題】
【０００３】
従来の洗濯バサミは、洗濯物を挟む部分（以下「挟部」という。）が１箇所しかなく、一つの洗濯バサミで複数の洗濯物を重ねて挟むことはできても、洗濯物を挟んだ洗濯バサミを他の洗濯物に挟んで吊るすことはできない。
【０００４】
解決しようとする課題は、上記のような不便な点を克服し、洗濯物を挟んだ洗濯バサミを他の洗濯物に吊るすことができるようにした点にある。
【課題を解決するための手段】
【０００５】
本発明は、市販の二つの洗濯バサミを取っ手部分で逆向きに合体させた形にする。
【０００６】
その具体的な形は図１のとおりで左右の両端に挟部を設けたものとなっている。
【発明の効果】
【０００７】
この複式洗濯バサミの挟部で靴下やハンカチ、パンツ等の小物の洗濯物を挟み、それを挟んだ複式洗濯バサミの他方の挟部で既に干されたワイシャツや肌着などの下部の好きなところに自由に挟んで吊るすことができる。
【０００８】
上記のような靴下などの小物の下にさらに複式洗濯バサミを使って連続干しを可能にし、物干し方法を複層・立体化することによって限られた場所を有効に使うことができる。
【発明を実施するための最良の形態】
【０００９】
図１（正面図）、図２（右側面図）及び図３（平面図）に示すような形態の洗濯バサミを作る。
【実施例１】
【００１０】
この複式洗濯バサミを使って、下着などの洗濯物の下に靴下を吊るした実施例（図４）
【実施例２】
【００１１】
ちょっとした任意の突起物にこの複式洗濯バサミを使って洗濯物を吊るした実施例（図５）
【図面の簡単な説明】
【００１２】
【図１】複式洗濯バサミの正面図
【図２】複式洗濯バサミの右側面図
【図３】複式洗濯バサミの平面図
【図４】複式洗濯バサミの使用例１（正面図）
【図５】複式洗濯バサミの使用例２（斜視図）
【符号の説明】
【００１３】
１  複式洗濯バサミ
２  取っ手の部分  
３  挟む部分（挟部）
４  バネの部分
５  物干し竿
６  下着
７  靴下
８  棚
９  ハンカチ
【図１】
2006175106.tif 000003
【図２】
2006175106.tif 000004
【図３】
2006175106.tif 000005
【図４】
2006175106.tif 000006
【図５】
2006175106.tif 000007
(57)【要約】【課題】装着が簡単で就寝中も下唇をしっかりと押さえ込み、口元が開くことがなく装着感の良いいびき防止マスクを提供することを目的とする。【解決手段】上唇と下唇を覆うほどの袋状に二重になったマスク１であって、その上部両隅から伸ばしたゴム紐３を頭部に掛けるようにすると共に、マスク１の下方に通した紐４を引いて顎を押さえ込み首の後ろで縛るようにした。また前記袋状に二重になったマスク１の上部裏側をU字形に切り欠いて一重にし、二重部分で下唇を押さえ込むようにした。さらに前記マスク１が薄手の木綿布で作られていることなどを特徴としている。【選択図】  図１
2006175110.tif 000002
【特許請求の範囲】
【請求項１】
上唇と下唇を覆うほどの袋状に二重になったマスク（１）であって、その上部両隅から伸ばしたゴム紐（３）を頭部に掛けるようにすると共に、マスク（１）の下方に通した紐（４）を引いて顎を押さえ込み首の後ろで縛るようにしたいびき防止マスク。
【請求項２】
前記袋状に二重になったマスク（１）の上部裏側をＵ字形に切り欠いて一重にし、二重部分で下唇を押さえ込むようにした請求項１記載のいびき防止マスク。
【請求項３】
前記マスク（１）が薄手の木綿布で作られている請求項１及び請求項２記載のいびき防止マスク。
【発明の詳細な説明】
【技術分野】
【０００１】
本発明は就寝時に口元を押さえ込むいびき防止マスクに関するものである。
【背景技術】
【０００２】
従来睡眠時のいびきや瞬間的な呼吸停止を防ぐためにマウスピースや鼻マスク、手術という方法があった。  しかしマウスピースや鼻マスクは口に合わなかったり、違和感があって寝つかれなかったり、さらに既存の歯に負担をかけ歯がぐらつくようになったり、鼻が悪いと使用できないなど弊害があった。また外科手術の場合は高額で入院を必要とするなど負担が大きかった。
【特許文献１】実開昭６０―１１９４１２号
【特許文献２】実開平６―７４１２１号
【特許文献３】実用登録３０４６３４２号
【発明の開示】
【発明が解決しようとする課題】
【０００３】
装着が簡単で就寝中も下唇をしっかりと押さえ込み、口元が開くことがなく装着感の良いいびき防止マスクを提供することを目的とする。
【課題を解決するための手段】
【０００４】
本発明のいびき防止マスクは、請求項１記載のように、上唇と下唇を覆うほどの袋状に二重になったマスク１であって、その上部両隅から伸ばしたゴム紐３を頭部に掛けるようにすると共に、マスク１の下方に通した紐４を引いて顎を押さえ込み首の後ろで縛るようにしたものである。また請求項２記載のように前記袋状に二重になったマスク１の上部裏側をU字形に切り欠いて一重にし、二重部分で下唇を押さえ込むようにした。さらに請求項３記載のように前記マスク１が薄手の木綿布で作られていることなどを特徴としている。
【発明の効果】
【０００５】
本発明のいびき防止マスクは、就寝時に上唇と下唇とを押さえ込むようにしたので口を開けて眠る習慣が強制的に改善され、起きている時も口元の締まりが良くなるという効果がある。
【０００６】
また本発明のいびき防止マスクは、上唇と下唇を覆うほどの袋状に二重になっており、その上部両隅から伸ばしたゴム紐３を頭部に掛けるようにすると共に、マスク１の下方に通した紐４を引いて顎を押さえ込み首の後ろで縛るようにしたので装着が簡単でありずれることが無い。また袋状に二重になったマスク１の上部裏側をＵ字形に切り欠いて二重部分で下唇を押さえ込むようにしたので就寝中もずれることが無く安定的に装着出来る。しかもマスクが薄手の木綿布で作られているのでコストも安く、通気性もよく、肌当たりも良いなどの効果がある。
【発明を実施するための最良の形態】
【０００７】
本発明いびき防止マスクの実施の最良の形態は、上唇と下唇を覆うほどの袋状に二重になったマスクの上部両隅から伸ばしたゴム紐を頭部に掛けるようにすると共に、マスクの下方に通した紐を引いて顎を押さえ込み首の後ろで縛るようにしたものである。
【実施例１】
【０００８】
本発明のいびき防止マスクは図１に示すように、薄手の木綿布で作られたマスク１は、上唇と下唇を覆うほどの大きさの矩形で袋状になっている。そしてその上部両隅に設けた止め輪２に両端を結び付けたゴム紐３の輪を両耳の上を通して頭部に掛け、マスク１を上唇と下唇に当接させた状態でマスク１袋部の下方に通した紐４を引いて顎を押さえ込み首の後ろで縛るようにする。
【０００９】
またマスク１の裏面は、図２のように袋状に二重になったマスク１の上部裏側をU字形にカットして一重にし、下側の二重部分で下唇を押さえ込むようにしてある。そのため下唇はやや強い圧迫感で抑えこまれて就寝中も口元が開かないように支えられる。
【図面の簡単な説明】
【００１０】
【図１】本発明いびき防止マスクの斜視図である。
【図２】マスクの背面図である。
【図３】使用状態図である。
【符号の説明】
【００１１】
１  いびき防止マスク
２  止め輪
３  ゴム紐
４  通し紐
５  Ｕ字カット部
【図１】
2006175110.tif 000003
【図２】
2006175110.tif 000004
【図３】
2006175110.tif 000005
(57)【要約】      （修正有）【課題】地震などによりビルとか家、その他の建物が倒壊の時に寝たきりの人を、物が落下して下敷きになる事から逃れられる寝台を提供する。【解決手段】寝台ロックピン６０、を解除するとバッテリー電圧により、寝台を下方に動かす。寝台上下用ワイヤ及びかっ車と両サイドのスライドローラ５１、を中央に動かすローラスライド用スプリングとスライドローラ５１、のロックを解除するためのスライドローラロックピンをチエンにより解除することによりスライドローラ５１、が寝台の中央に来る。【選択図】図２
2006175196.tif 000002
【特許請求の範囲】
【請求項１】
従来の寝台は地震などによりビルとか家、その他の建物が倒壊の時に寝たきりの人はにげる間もなく寝台の上部に物が落下して下じきになる場合があります。この装置は寝台が下方に約３５ｃｍ動くと次にスライドローラ２本が両サイドから中央方向に動きます。
【発明の詳細な説明】
【発明の詳細な説明】
発明が解決しようとする課題従来の寝台より強力な構造になりさらに寝台が下方に動くと次に両サイドのスライドローラ２本が中央に動き人間を家屋の落下物から被害を軽減するための安全装置です。〔作用〕通常の時は図１のように寝台ロックピン▲２５▼がロック状態で寝台も図２の位置に固定となり地震になると図６のスイッチ▲２９▼がＯＮとなり、回路に電気がながれて寝台▲３▼が下方に約３５ｃｍ動くと図４のようにスライドローラ２本がローラスライド用スプリング▲５２▼▲５３▼がちぢんでスライドローラ▲５１▼２本が中央に動きます。又寝台▲３▼が下方に動く速度は寝台上下用ワイヤ調節金具▲１９▼で人間の体重によってまえもって調節します。
【図面の簡単な説明】
【図１】上面図の符号図
【図２】側面図の符号図
【図３】側面図地震になり寝台ロックピンが解除になり寝台が下方に動いた状態
【図４】正面図各装置の格納状態
【図５】正面図地震になり寝台スライドローラ２本が両サイドから中央方向に動いた状態
【図６】上面図地震になりスイッチがＯＮとなり寝台ロックピンが解除になった状態
【図７】正面図の符号図
【図８】側面図通常の時はスライドローラ▲５１▼はスライドロックピン▲６０▼によりフレーム▲１▼にロックしている状態
【図９】地震になり寝台▲３▼が下方に３５ｃｍ動いたら次にスライドローラロックピン引張りチエン▲５８▼が張り次にスライドローラロックピン▲６０▼が解除になりスライドローラ▲５１▼の２本が両サイドから中央方向にローラスライド用スプリング▲５２▼がちぢみローラが動きます。
【符号の説明】
▲１▼フレーム▲２▼フレーム受台▲３▼寝台▲４▼上部かっ車（１枚）▲５▼上部かっ車（２枚）▲６▼下部かっ車（２枚）▲７▼サイドかっ車（１枚）▲８▼サイドかっ車（１枚）▲９▼下部かっ車（１枚）▲１０▼下部かっ車（１枚）▲１１▼下部かっ車（２枚）▲１２▼下部かっ車（２枚）▲１３▼下部かっ車（１枚）▲１４▼寝台固定金具▲１５▼寝台固定金具▲１６▼寝台固定金具▲１７▼寝台固定金具▲１８▼寝台上下用ワイヤ▲１９▼寝台上下用ワイヤ調節金具▲２０▼寝台上下用ワイヤたんまつ▲２１▼寝台固定金具▲２２▼寝台固定金具▲２３▼寝台固定金具▲２４▼寝台固定金具▲２５▼寝台ロックピン▲２６▼寝台ロックピン▲２７▼寝台ロックピン▲２８▼寝台ロックピン▲２９▼スイッチ▲３０▼永久磁石▲３１▼バッテリー▲３２▼電気配線（マイナス側）▲３３▼永久磁石配線▲３４▼電気配線（プラス側）▲３５▼上部かっ車固定ピン▲３６▼上部かっ車固定ピン▲３７▼下部かっ車固定ピン▲３８▼サイドかっ車固定ピン▲３９▼サイドかっ車固定ピン▲４０▼下部かっ車固定ピン▲４１▼下部かっ車固定ピン▲４２▼上部かっ車固定ピン▲４３▼下部かっ車固定ピン▲４４▼上部かっ車固定ピン▲４５▼スライドローラレール▲４６▼スライドローラレール▲４７▼ローラベアリング▲４８▼ローラベアリング▲４９▼ベアリング受▲５０▼ベアリング受▲５１▼スライドローラ▲５２▼ローラスライド用スプリング▲５３▼ローラスライド用スプリング▲５４▼ローラスライド用スプリング固定金具▲５５▼ローラ側スプリング固定金具▲５６▼ローラ側スプリング固定金具▲５７▼上部チエン固定金具▲５８▼スライドローラロックピン引張りチエン▲５９▼スライドローラロックピン引張りチエン固定金具▲６０▼スライドローラロックピン▲６１▼スライドローラロックピン本体▲６２▼上部チエン固定金具▲６３▼スライドローラロックピン引張りチエン▲６４▼スライドローラロックピン引張りチエン固定金具▲６５▼スライドローラロックピン▲６６▼スライドローラロックピン本体
【図１】
2006175196.tif 000003
【図２】
2006175196.tif 000004
【図３】
2006175196.tif 000005
【図４】
2006175196.tif 000006
【図５】
2006175196.tif 000007
【図６】
2006175196.tif 000008
【図７】
2006175196.tif 000009
【図８】
2006175196.tif 000010
【図９】
2006175196.tif 000011
(57)【要約】【課題】      耳垢の取り残しがないように耳掃除ができるようにする。【解決手段】  耳掃除棒の先端部分に粘着剤をつける。【選択図】    なし【特許請求の範囲】
【請求項１】
先端部に粘着性を持った耳掃除棒。
【発明の詳細な説明】
【発明の詳細な説明】
耳掃除棒の先端部に粘着性がある。
【技術分野】耳掃除棒の先端部に粘着性を持たせる。
【背景技術】従来、耳掃除は先端部に綿がついた棒や引っ掛かりのある形状の棒で耳垢を掻き出していた。
【発明を実施するための最良の形態】本発明は、耳掃除棒の先端に粘着性を持たせ、粘着力を利用して耳垢をそれにくっ付け掻き出すことにより、より耳垢の取り残しを減少できる。
【発明の効果】
このようにすれば、耳掃除は粘着剤によって、耳垢は取り残しなく排除が可能となる。
(57)【要約】      （修正有）【課題】水消火器機能型浴槽水量節水器は  各家庭の浴槽の中に配備するだけで入浴に支障なく、しかも浴槽内に注入する水量を節水し  その節水した水を初期火災の消火用水として使用する事を課題としている。【解決手段】水消火器機能型浴槽水量節水器５を浴槽４の中に入れて  節水器５の体積分を節水し  水消火器機能型浴槽水量節水器５に封入した水は手動圧力式消火器の消火水として活用する。【選択図】図１
2006175194.tif 000002
【特許請求の範囲】
【請求項１】
本体に水を入れ、浴槽内の適所に浮上配備させる節水器であって、本体は水消火用として、注水口、噴射口、噴射ノズルホース、とから成る水消火器機能型浴槽水量節水器。
【請求項２】
本体は、ポリエステル軟質合成樹脂で成り、取って部、外回り部は堅めにして、本体の腹部を柔らかくして、噴出時に圧力をかけやすくした水消火器機能型浴槽水量節水器。
【請求項３】
浴槽の使用水量を節水し  家庭生活に於ける省エネルギー効果と、消防効果を特徴とする水消火器機能型浴槽水量節水器。
【発明の詳細な説明】
【発明の詳細な説明】
【０００１】本発明の水消火機能型浴槽水量節水器を浴槽の中に入れて  水消火機能型浴槽水量節水器の体積分を節水し  水消火器機能型浴槽水量節水器に封入した水は手動圧力式消火器の消火水とし本発明の水消火器機能型浴槽水量節水器はポリエチレン容器で製作し軽量で浮遊し下部に沈まないようにすることにより  場所の特定ができ初期火災時に持ち出し易くした。
【技術分野】
【０００２】この発明は、浴槽内に配備される事で、入浴時の節水を実現し、本発明の水消火器機能型浴槽水量節水器に封入した水は  初期火災発生時に噴射用口栓を取り外せば消火用水として利用でき６ｍ手動圧力で噴射できる。
【背景技術】
【０００３】通常、家庭では入浴する際は、浴槽内に水を入れて適温まで沸かすか、電気温水器から温度調節して入れますが  １人か２人の少人数の入浴でも十分な量の水を入れる必要がある。
火災が発生したら  まず消火器を探します  消火器が無いときは  水を探しますが  水をかける行いは  水道からバケツに水を溜めるか、水道蛇口にホースを取り付ける方法があるが  両者共準備に時間を要する。
【発明が解決しようとする課題】
【０００４】入浴は通常毎日のように実行されているのが普通である、このため、水道代、沸かすガス代、或いは電気代が高価となる不利がある。
初期火災発生時に浴槽の残り湯を利用すればいいが  建築基準法の改正前の建物は  地震災害に弱く  残り湯の重みで一番に壊れやすい所である為に、バケツ等で用意する必要がある。
【０００５】この発明は、以上のような課題を解消させ、入浴するのに全く支障がなく、しかも浴槽内に注入する水量が少なくて済む合理的で、防災機能を備えた節水器を提供する事を目的とする。
【課題を解決するための手段】
【０００６】この目的を達成させるために、この発明の水消火器機能型浴槽水量節水器は、次のような構成としている。
本発明の水消火器機能型浴槽水量節水器は浴槽の節水用として浴槽内に配備される節水器であって、節水器に封入された水は、初期火災の消火器機能消火用水として常時利用できる
【発明を実施するための最良の形態】
【０００７】以下、図面に基づき、本発明の水消火器機能型浴槽水量節水器の具体的実施の形を説明する【０００８】節水器本体は、ポリエチレンなどの軟質合成樹脂の形成で、軽量で浮遊し節水用として利用した封入水は  初期火災が発生した時に消火専用栓を取り外し脇にかかえて腕の力で圧力をかければ  噴射水だけで初期火災は簡単に消火出来る。
【発明の効果】
従来型の消火剤を使用した消火器は数年に一度の点検や、一度使用したらガスの補充  消火剤の補充が必要で金額も高価となるが  本発明は補充が水であるから浴槽の残り湯で十分である為に経済的である。
生活環境に於ける家庭での節水は  自治体に於いても  一家庭に於いても  経費の削減につながる効果が期待でき  消火機能は家庭内の安全対策の効果が期待できる。
【図面の簡単な説明】
【図１】配備図
【図２】配備図２
【図３】本発明側面図
【図４】本発明正面図
【符号の説明】
▲１▼  噴射口
▲２▼  注水口
▲３▼  噴射ノズルホース
▲４▼  浴槽
▲５▼  本体
【図１】
2006175194.tif 000003
【図２】
2006175194.tif 000004
【図３】
2006175194.tif 000005
【図４】
2006175194.tif 000006
(57)【要約】【課題】寝ているときに鼻が詰まるなどで息がしにくいことがある、そんなとき何かで鼻を広げたくなる。しかし他の装置で鼻を広げているとあたっている箇所がいたくなるなどの不備がある。【解決手段】  鼻を下からじかに広げ鼻での呼吸をしやすくし、そして鼻にあたる面がゼリーでできているのでその面が乾かず、ゼリーは軟らかいため長時間あたっていてもいたくならない。かつ香りによりよい睡眠をうながす。【選択図】  図４
2006175180.tif 000002
【特許請求の範囲】
【請求項１】
棒状の物で鼻に下からＵ字に曲げて入れて鼻を内から外に開き鼻での呼吸を楽にする物。そしてその両先にゼリー状の柔らかいものが付いた物。
【請求項２】
請求項１の鼻呼吸補助器において、そのゼリー状の物に匂いが付いた物。
【請求項３】
請求項１の鼻呼吸補助器において、棒状の物は弾力性をだすため、プラスチック素材で出来ている。
【請求項４】
請求項１のゼリー状の柔らかいものにおいて、産業技術またはコストパフォーマンスなどの都合により、香りの付いたゴム素材のもので代用することもありうる。
【発明の詳細な説明】
【技術分野】
【０００１】    本発明は、（全般として睡眠時）鼻づまりなどの鼻での呼吸の問題を改善するための治療装置に関する。本発明は鼻空内の空気の通路の確保するための装置であり、そしてその接触面が長時間着けていても痛くならないように工夫された装置である。そしてその面に睡眠を促すような香りを付けた装置である。
【背景技術】
【０００２】    鼻炎や無呼吸症候群など鼻呼吸の問題により睡眠が妨げられることがある。それを改善する方法はいくつかだされている、その様な物の中で鼻空を広げ鼻炎などを防止するための装置の特許はいくつかあります。例えば、鼻を下から挟んで開く鼻詰まり防止具（特許文献１参照）やパイプを鼻に入れる中空の曲がったパイプを鼻の中に装着する装置（特許文献２）や外からシールの粘着力と弾力材により鼻を開く鼻拡張器（特許文献３）です。
【特許文献１】鼻詰まり防止具（特許出願２００１−３９９０１３）
【特許文献２】中空の曲がったパイプを鼻の中に装着する装置（特許出願２００１−１９０７５６）
【特許文献３】鼻拡張器（特許出願２００２−２５６３５５）
【発明の開示】
【発明が解決しようとする課題】
【０００３】  以上に述べた鼻詰まり防止具（特許文献１）や、中空の曲がったパイプを鼻の中に装着する装置（特許文献２）のようなものは敏感で薄い鼻腔内の粘膜に長時間着けていると痛くなってしまうため睡眠時に着けるには適さない。
鼻拡張器（特許文献３）のように外から鼻を広げるものは痛くなることはないが中から開く物と比べそれほど開かないので鼻炎や無呼吸症候群が重症の人にはそれほど効果が期待できない。
【課題を解決するための手段】
【０００４】  本発明は鼻詰まり防止や鼻での呼吸を促すために内から鼻を開くタイプの装置である。本発明を図３のようにＵ字に曲げると弾力性バー１の弾力性により元に戻る性質がある。その性質ゆえ、香りの付いたゼリー２を外に向けＵ字に曲げられた状態では香りの付いたゼリーの部分は外に押す力を発揮する。その力を利用して、図４のように本発明を鼻内部に装着した場合に、鼻を内から外に押し広げる。【０００５】  以上で述べたように鼻を開く、しかし鼻の粘膜は非常に敏感で傷つきやすいため本発明では鼻と接する部分はゼリーでできている。ゼリーの軟らかい性質により接触面への負担が和らぎ、そしてゼリーの潤いにより接触面の乾燥も避けることができる。【０００６】  そしてそのゼリーに匂いを付けることにより睡眠時のリラックス効果も期待できる。匂いは鼻をスーッと通すミントの香りやリラックス効果のある花の香りなどを好む。
【発明の効果】
【０００７】  以上に述べたように、本発明は（主に睡眠時での）鼻詰まりや無呼吸症候群の防止や鼻での呼吸を促すために内から鼻を開き鼻空の空気の通り道の確保をする。【０００８】  接触面がゼリーでできているため長時間付けていても鼻の粘膜が痛くならずかつ潤いをもたらす。【０００９】  そのゼリーに香りが付いている。例えば、ミントの場合鼻をより通す効果が期待でき、花の香りの場合リラックス効果や睡眠を促す効果が期待できる。
【発明を実施するための最良の形態】
【００１０】  寝る前に本発明の快眠用鼻呼吸補助器を下から図３のようにＵ字に曲げて鼻に入れて、図４のように鼻の中に固定して寝る。そのときゼリーの部分が鼻の内側に当たるように固定するのが良い。
【図面の簡単な説明】
【００１１】
【図１】本発明を横から見た外観図
【図２】本発明を正面から見た外観図
【図３】本発明をＵ字に曲げた状態の外観図
【図４】本発明の最良の鼻空内への装着例
【符号の説明】
【００１２】１  弾力性バー
２  香りの付いたゼリー
３  正面から見た鼻内部
４  Ｕ字に曲げられた本発明
【図１】
2006175180.tif 000003
【図２】
2006175180.tif 000004
【図３】
2006175180.tif 000005
【図４】
2006175180.tif 000006